(57)【要約】      （修正有）【課題】緩やかな動作で自動的に折り畳むことができる折り畳み椅子のシート自動折り畳み装置を提供する。【解決手段】折り畳み椅子のシート自動折り畳み装置は、折り畳み椅子のシート及び前足フレームの間の枢接部が回転枢軸に嵌合された自動折り畳み装置を包含し、自動折り畳み装置は渦形バネと固定ロッドを包含し、固定ロッドは垂直に前足フレームに設置され、渦形バネの第１端は回転枢軸に嵌合並びに接続され、渦形バネの第２端は固定ロッド周囲を包囲する。使用者がこの折り畳み椅子に坐る時、回転枢軸がある方向に回転し、並びに渦形バネの第２端が固定ロッドに圧接し、渦形バネが緊張力を形成し、使用者が椅子を離れてシートに対する圧力が解除されると、渦形バネが緊張力を釈放して回転枢軸を駆動して別方向に回転させ、シートを自動的に回転させて折り畳み状態とする。【選択図】図１
0003159270.tif 000002
【実用新案登録請求の範囲】
【請求項１】
折り畳み椅子のシートフレーム及び前足フレームの間に設けられる自動折り畳み装置であって、該自動折り畳み装置は回転枢軸、固定ロッド、渦形バネを包含し、該回転枢軸は相反する２端を具え、そのうち第１端は該前足フレームを横向きに貫通し、並びにシートフレームに接続された連接板と結合して連動可能とされ、第２端は円柱端とされて該前足フレームの表面に露出し、該固定ロッドは垂直に、該回転枢軸の該第２端に隣接する前足フレームの表面に設置され、該渦形バネの第１端は該回転枢軸の第２端に嵌合され、該渦形バネの第２端は該固定ロッドの周囲を包囲し、使用者がシートに坐ることで、該回転枢軸が駆動されて所定方向に回転し、並びに該渦形バネの第２端が該固定ロッドに圧接し、これにより渦形バネが緊縮して緊張力を形成し、使用者がシートを離れると、該渦形バネが該緊張力を釈放して該回転枢軸を駆動して別方向に回転させ、シートを自動的に回転させて折り畳み状態となすことを特徴とする、折り畳み椅子のシート自動折り畳み装置。
【請求項２】
請求項１記載の折り畳み椅子のシート自動折り畳み装置において、該自動折り畳み装置は全体の自動折り畳み装置を被覆するカバーと、該カバーを該固定ロッドに固定する第１連接装置をさらに包含することを特徴とする、折り畳み椅子のシート自動折り畳み装置。
【請求項３】
請求項１又は２記載の折り畳み椅子のシート自動折り畳み装置において、補強ブロックをさらに包含し、該補強ブロックは前述の前足フレームの溝に設置され、該固定ロッドが該補強ブロックに垂直に設置され、該回転枢軸の第１端が該補強ブロックを横向きに貫通することを特徴とする、折り畳み椅子のシート自動折り畳み装置。
【考案の詳細な説明】
【技術分野】
【０００１】
本考案は一種の折り畳み椅子の設計領域に係り、特に、一種のシートが自動的に折り畳まれる折り畳み椅子に関する。
【背景技術】
【０００２】
折り畳み椅子のシートは通常、二組の枢接構造を利用して前足フレーム内側に枢接され、これによりシートが折り畳み可能とされる。伝統的な折り畳み椅子のシート折り畳み方式は、手動での折り畳みであり、展開されたシートを回して縦方向の折り畳み状態となす。その不便さのために、すでにシートの折り畳み構造が開発されており、それは一側の椅子フレーム底部に引張りバネが接続され、該引張りバネの別端が前足フレームに接続され、椅子が展開される時に、引張りバネが引き伸ばされて緊張力をため、椅子に対する圧力が解除された時に、引張りバネが原状に回復する力により、シートを回転させて縦方向の折り畳み状態となす。
【考案の概要】
【考案が解決しようとする課題】
【０００３】
しかし、従来の折り畳み椅子のシート自動折り畳み装置における引張りバネの採用は以下のような欠点がある。まず、引張りバネの回復速度は速すぎ、シートが自動的に折り畳まれる時、急速に椅子のフレームに設置されたストッパに衝突して騒音を発生する。次に、全体のシート折り畳み構造がシート下方に露出しており、使用者に怪我をさせやすい。第３に、実際に試用したところ、引張りバネは非常に弾性疲労しやすく、弾性疲労するとシート折り畳み動作が不確実となる。このため、従来の折り畳み椅子のシート自動折り畳み装置には改良の必要があった。
【０００４】
周知の折り畳み椅子のシート自動折り畳み装置の折り畳み速度が速すぎ、騒音を発生しやすく、折り畳み構造がシート底部に露出して使用者に怪我をさせやすく、引張りバネが弾性疲労を発生しやすいという欠点を改善するため、本考案は一種の折り畳み椅子のシート自動折り畳み装置を提供することを目的とし、それは、シート折り畳み動作を緩やかに行え且つ所定位置に自動的に折り畳み、騒音を発生せず、且つ自動折り畳み装置が構造を遮蔽する保護カバーを有し、使用者に怪我をさせず、自動折り畳み装置が渦形バネを採用し、バネの鋼性が比較的高く弾性疲労を発生しにくく、従来の技術の欠点を解決するものとする。
【課題を解決するための手段】
【０００５】
前述の目的を達成するため、本考案の提供する折り畳み椅子のシート自動折り畳み装置は、折り畳み椅子のシート及び前足フレームの間の枢接部が回転枢軸に嵌合された自動折り畳み装置を包含し、該自動折り畳み装置は渦形バネと固定ロッドを包含し、該固定ロッドは垂直に前足フレームに設置され、該渦形バネの第１端は該回転枢軸に嵌合並びに接続され、該渦形バネの第２端は該固定ロッド周囲を包囲する。使用者がこの折り畳み椅子に坐る時、回転枢軸が所定方向に回転し、並びに渦形バネの第２端が固定ロッドに圧接し、渦形バネが緊張力を形成し、使用者が椅子を離れてシートに対する圧力が解除されると、渦形バネが緊張力を釈放して回転枢軸を駆動して別方向に回転させ、シートを自動的に回転させて折り畳み状態とする。
【考案の効果】
【０００６】
本考案は渦形バネを従来の引張りバネの代わりに採用することで、シートの回転の力を緩和し、且つ渦形バネの使用寿命は引張りバネより高いため、シートの自動折り畳みの動作を長期に確保できる。
【０００７】
上述の渦形バネの第２端は固定ロッドの周囲を包囲するため、シートが回転し渦形バネの第２端が固定ロッドの第２点に接触すると、シートがそれ以上回転しないように制限され、シートの過度の回転によるストッパとの衝突が騒音を発生するのを防止する。
【０００８】
このほか自動折り畳み装置にさらにカバーが設けられ、連接装置により該カバーが固定ロッドの端面に連結され、カバーが全体の自動折り畳み装置を被覆することにより、使用者の怪我を防止する。
【０００９】
以上から分かるように、本考案の提供する折り畳み椅子のシート自動折り畳み装置は従来のシート自動折り畳み装置に較べて折り畳み動作が緩和され、騒音がなく、安全で且つ使用寿命が長い。
【図面の簡単な説明】
【００１０】
【図１】本考案の折り畳み椅子のシート自動折り畳み装置の好ましい実施例の立体分解図である。
【図１Ａ】本考案の折り畳み椅子のシート自動折り畳み装置の好ましい実施例のもう一つの立体分解図である。
【図２】本考案の折り畳み椅子のシート自動折り畳み装置の好ましい実施例の組み合わせ図である。
【図３】本考案を運用した折り畳み椅子の折り畳み後の正面図である。
【図４】本考案の折り畳み椅子のシート自動折り畳み装置の好ましい実施例の動作図である。
【図５】本考案の折り畳み椅子のシート自動折り畳み装置の好ましい実施例の動作図である。
【考案を実施するための形態】
【００１１】
図１、図１Ａ及び図２はそれぞれ本考案の折り畳み椅子のシート自動折り畳み装置の好ましい実施例の立体分解図及び組み合わせ図である。折り畳み椅子のシートフレーム１１と前足フレーム２の間には枢接部３があり、該枢接部３は、シートフレーム１１と接続された連接板３２と、回転枢軸３１を包含する。該回転枢軸３１は背向する２端を有し、第１端の末端は半円形に設計され、第２端は円柱形に設計されている。該連接板３２には該回転枢軸３１の第１端に対応する半円形形状の固定孔３２１が開設されている。該回転枢軸３１の第１端は前足フレーム２を横向きに貫通し、並びに該連接板３２の該固定孔３２１を貫通し、第２端は前足フレーム２の表面に露出し、こうして連接板３２が回転枢軸３１に伴い回転し、回転枢軸３１の固定孔３２１内での空転が防止され、これによりシート１を駆動し回転させられる。自動折り畳み装置４は、回転枢軸３１により前足フレーム２の表面に設置され、該自動折り畳み装置４は人体がシート１から離れた時、シート１を自動的に上に回転させて折り畳み状態となす。
【００１２】
自動折り畳み装置４の設置は、具体的には、補強ブロック４６上に設置される。該補強ブロック４６の幅及び厚さは前足フレーム溝２１の幅と深さに符合し、これにより補強ブロック４６が前足フレーム溝２１に溶接され、これにより自動折り畳み装置４の強度がアップされる。自動折り畳み装置４は固定ロッド４２、前述の回転枢軸３１及び渦形バネ４１を包含する。該固定ロッド４２は溶接方式で補強ブロック４６に垂直に設置される。回転枢軸３１の第１端は補強ブロック４６が設けられた前足フレーム２の一部分を横向きに貫通し、並びに連接板３２と結合され、回転枢軸３１の第２端は補強ブロック４６外側に露出し、並びにその端面に一部の円周面まで延伸された割り溝３１１が設置される。該渦形バネ４１は引張りバネに較べて緩和された弾性回復力を発生し、使用寿命は比較的高い。渦形バネ４１は両端を有し、そのうち第１端４１１は該回転枢軸３１に嵌合され、並びに該割り溝３１１に嵌め込まれ、第２端４１２は折り曲げられて略環状とされ、並びに固定ロッド４２周囲を包囲し、渦形バネ４１の本体は補強ブロック４６の表面に接触し、渦形バネ４１は間接的に前足フレーム２に設置される。自動折り畳み装置４の構造が前足フレーム２の外側に露出して使用者に怪我をさせるのを防止するため、さらにカバー４３が設計され、このカバー４３の形状に制限はなく、ただ固定ロッド４２、回転枢軸３１及び渦形バネ４１を被覆すればよい。カバー４３の接続には、第１連接装置４４が採用され、それはボルト４４１とナット４４２を包含し、ボルト４４１が外部よりカバー４３を通過し、ナット４４２がボルト４４１の貫通端に螺合され、並びにカバー４３の内側面より締めつけて、これにより、ボルト４４１のカバー４３からの脱出を防止し、ボルト４４１はさらに予め固定ロッド４２の端面に開設されたネジ孔４２１内に螺合され、これによりカバー４３が固定ロッド４２に固定される。該第１連接装置はボルトとナットの組み合わせに限定されるわけではなく、リベット、ピンなど、取り外し可能或いは取り外し不能の部品とされる。カバー４３の下段部のぐらつきを防止するため、さらに回転枢軸３１の第２端面に盲孔３１２を開設して、第２連接装置４５を設置してもよい。該第２連接装置４５は、ボルト４５１とナット４５２を包含し、ボルト４５１が外部よりカバー４３を貫通し、ナット４５２がボルト４５１の貫通端に螺合され、ボルト４５１の端部が該盲孔３１２に進入し、こうしてカバーの下半部が位置決めされる。ただし、ボルト４５１の内径はこの盲孔３１２の内径よりやや小さく且つ盲孔３１２内壁と接触せず、これにより回転枢軸３１の回転動作に影響を与えないものとされる。第２連接装置はボルトとナットの組み合わせに限定されるわけではなく、リベット、ピンなど、取り外し可能或いは取り外し不能の部品とされる。図３は本考案を運用した折り畳み椅子の折り畳み後の正面図である。全体の自動折り畳み装置４は前足フレーム２の外側面に設置され、これにより折り畳み時に、後足フレーム５の前足フレーム２内側位置への折り畳み動作に影響を与えず、また、シート１の回転動作に影響を与えない。
【００１３】
図４及び図５は本考案の折り畳み椅子のシート自動折り畳み装置の好ましい実施例の動作図であり、図中、カバーは省略されている。使用者がシート１の上に座る時、自動折り畳み装置の分解動作は、以下のとおりである。シート１が下向きの圧力を受けて連接板３２により回転枢軸３１を駆動して所定方向に回転させ、渦形バネ４１の第１端４１１がこれにより回転して緊張作用を発生し、渦形バネ４１の第２端４１２がまず固定ロッド４２のＡ点に圧接し、さらに、続けてシートが押下られる時、渦形バネ４１の第１端４１１は回転枢軸３１の回転に伴い径方向の緊縮弾性変形を開始し、シート１が完全に展開されて後足フレーム５の両端面上で平らになると、弾性変形動作を停止する。使用者がシート１から離れると、シート１に対する圧力が開放され、渦形バネ４１の弾性回復力により回転枢軸３１が反対方向に駆動されて回転し、連接板３２と回転枢軸３１が同時に回転してシート１が自動的に上向きに回転し、渦形バネ４１の第２端が固定ロッド４２のＡ点を離れ、並びに固定ロッド４２のＢ点に当接すると、渦形バネ４１は回復動作を完成し、シート１もそれ以上力を受けないために続いて後ろ向きに回転することはない。上述の割り溝３１１の開設の位置と渦形バネ４１のトルクには相対する関係があり、経験法則から、本実施例図に示されるように、割り溝３１１の位置は渦形バネ４１がシート１を駆動して上向きに約７０度回転させる位置とされる。これにより、譲位機能を達成するのみならず、シート１の過度の回転を防止し、及び回転速度が速すぎて折り畳み椅子に設置されたシートストッパに衝突し折り畳み椅子を損傷したり騒音を発生したりするのを防止する。
【００１４】
以上の説明は本考案の好ましい実施例に関するものであり、本考案に対して形式上の制限を加えることを意図するものではなく、ゆえに、同じ創作精神下で本考案に関してなし得る修飾或いは変更は、いずれも本考案の保護を要求する権利請求範囲に属するものとする。
【符号の説明】
【００１５】
１  シート
１１  フレーム
２  前足フレーム
２１  溝
３  枢接部
３１  回転枢軸
３１１  割り溝
３１２  盲孔
３２  連接板
３２１  固定孔
４  自動折り畳み装置
４１  渦形バネ
４１１  第１端
４１２  第２端
４２  固定ロッド
４２１  ネジ孔
４３  カバー
４４  第１連接装置
４４１  ボルト
４４２  ナット
４５  第２連接装置
４５１  ボルト
４５２  ナット
４６  補強ブロック
５  後足フレーム
【図１】
0003159270.tif 000003
【図１Ａ】
0003159270.tif 000004
【図２】
0003159270.tif 000005
【図３】
0003159270.tif 000006
【図４】
0003159270.tif 000007
【図５】
0003159270.tif 000008